(57)【要約】往復動式圧縮機が、密閉容器（１０）と、ステータ（２１）および該ステータの間の空隙に配設され往復運動するアーマチュア（２２）を有する往復動式モータ（２０）と、往復動式モータのアーマチュアに結合されたピストン（３１）および密閉容器（１０）内に固定されるシリンダーとを有する圧縮ユニット（３０）と、往復動式モータ（２０）のアーマチュア（２２）を運動方向に弾性支持するスプリングユニット（５０）と、往復動式モータ（２０）および圧縮ユニット（３０）を支持し、適当な部分にガス通孔（１１１）を有するフレームユニット（１００）とを具備している。往復動式モータ（２０）のアーマチュア（２２）が往復運動するときに、流路抵抗の増加が防止されるように、アーマチュア（２２）の端部でガスが圧縮される。更に、アーマチュアがオーバストロークするとき、段差部（１１２）により空間が形成され、マグネットの脱去および破損を防止し圧縮機の信頼性が改善される。【選択図】図３
2004519580.tif 000002
【特許請求の範囲】
【請求項１】
吸入管および吐出管が連通される密閉容器と、
該密閉容器の内部に所定空隙（ａｉｒ ｇａｐ）を置いて固定されるインナーステータおよびアウターステータから成るステータと、それら二つのステータ間の空隙に配置されて往復運動するアーマチュアと、から成る往復動式モータと、
該往復動式モータのアーマチュアに結合されて共に往復運動するピストンおよび該ピストンが滑動自在に挿合されて圧縮空間を形成するように前記密閉容器の内部に固定されるシリンダーから成る圧縮ユニットと、
前記往復動式モータのアーマチュアを運動方向に弾性支持して共振を誘導するスープリングユニットと、
前記往復動式モータおよび圧縮ユニットを支持し、その適当な部分にガス通孔を具備して成るフレームユニットとを具備することを特徴とする往復動式圧縮機。
【請求項２】
前記フレームユニットは、往復動式モータのインナーステータとアウターステータとに共に接触されて支持するように接触部を有するフレームが少なくとも一つ備えられ、
該接触部を有するフレームに前記ガス通孔が形成されることを特徴とする請求項１に記載の往復動式圧縮機。
【請求項３】
前記ガス通孔は、インナーステータとアウターステータ間の空隙にアーマチュアの運動方向に対向されるように形成されることを特徴とする請求項２に記載の往復動式圧縮機。
【請求項４】
前記ガス通孔は、その内径が前記往復動式モータの空隙より同様であるか、または大きく形成されることを特徴とする請求項１から３項の何れか１項に記載の往復動式圧縮機。
【請求項５】
前記インナーステータとアウターステータとが共に接触されるように接触部を有するフレームには、前記各ステータとの非接触部に窪んで段差部が形成されることを特徴とする請求項２に記載の往復動式圧縮機。
【請求項６】
前記フレームの段差部は、インナーステータとアウターステータ間の空隙にアーマチュアの運動方向に対向されるように形成されることを特徴とする請求項５に記載の往復動式圧縮機。
【請求項７】
前記段差部の深さは、その段差部の底面からこれに対応されるアーマチュア端部までの距離が前記アーマチュアとピストンとの結合部一側面とこれに最も隣接されるように対応される往復動式モータの端部までの距離より長く形成されることを特徴とする請求項１または５に記載の往復動式圧縮機。
【請求項８】
前記段差部の深さは、その段差部の底面からこれに対応される各ステータの端部までの距離が前記二つのステータ間の空隙と同様であるか、または長く形成されることを特徴とする請求項１または５に記載の往復動式圧縮機。
【請求項９】
前記圧縮ユニットのピストンには、往復動式モータのアーマチュアと結合されるようにフランジ部が形成されるが、
該ピストンのフランジ部にもガス通孔が形成されることを特徴とする請求項１または５に記載の往復動式圧縮機。
【請求項１０】
前記往復動式モータのアーマチュアにもガス通孔が形成されることを特徴とする請求項１または５に記載の往復動式圧縮機。
【請求項１１】
吸入管および吐出管が連通される密閉容器と、
該密閉容器の内部に所定空隙を置いて固定されるインナーステータおよびアウターステータから成るステータとこれら二つのステータ間の空隙に配置されて往復運動するアーマチュアから成る往復動式モータと、
該往復動式モータのアーマチュアに結合されて共に往復運動するピストンおよび該ピストンが滑動自在に挿合されて圧縮空間を形成するように前記密閉容器の内部に固定されるシリンダーから成る圧縮ユニットと、
前記往復動式モータのアーマチュアを運動方向に弾性支持して共振を誘導するスプリングユニットと、
前記往復動式モータの各ステータと同時に接触される接触部を具備してその往復動式モータおよび圧縮ユニットを支持し、前記接触部以外の非接触部に段差部が陰刻になるように形成されるフレームユニットとを具備することを特徴とする往復動式圧縮機。
【発明の詳細な説明】
【０００１】
＜技術分野＞
本発明は往復動式圧縮機に関し、特に、ピストンの往復運動時に発生される流路抵抗を低減すると共に、アーマチュアのオーバストローク（ｏｖｅｒ ｓｔｒｏｋｅ）時にアーマチュアの破損を防止し得る往復動式圧縮機に関する。
【０００２】
＜背景技術＞
一般に、往復動式圧縮機は、ピストンがシリンダーの内部で往復運動しながらガスを吸入圧縮して吐出させる。
【０００３】
図１は、従来の往復動式圧縮機の一例を示した縦断面図である。
図１に示すように、従来の往復動式圧縮機は、底面に潤滑油が充填されて吸入管（ＳＰ）および吐出管（ＤＰ）が連通される密閉容器１０と、該密閉容器１０の内部に固定される往復動式モータ２０と、密閉容器１０の内部に設置されて、ガスを吸入圧縮して吐出させる圧縮ユニット３０と、往復動式モータ２０および圧縮ユニット３０を支持するフレームユニット４０と、往復動式モータ２０のアーマチュアを運動方向に弾性支持して共振を誘導するスプリングユニット５０と、フレームユニット４０に装着されて、密閉容器１０の潤滑油を往復動式モータ２０および圧縮ユニット３０に供給する潤滑油供給ユニット６０とを具備している。
【０００４】
往復動式モータ２０は、インナーステータ（ｉｎｎｅｒ ｓｔａｔｏｒ）２１Ａおよびアウターステータ（ｏｕｔｅｒ ｓｔａｔｏｒ）２１Ｂから成るステータ２１と、インナーステータ２１Ａとアウターステータ２１Ｂ間の空隙（ａｉｒ ｇａｐ）に介在されて、後述するピストン３１と共に往復運動するアーマチュア２２とを具備している。
【０００５】
また、アーマチュア２２は、インナーステータ２１Ａとアウターステータ２１Ｂ間の空隙に介在されて圧縮ユニット３０のピストン３１に結合されるマグネット支持部材２２Ａと、インナーステータ２１Ａとアウターステータ２１Ｂ間の空隙に位置するようにマグネット支持部材２２Ａの外周面に所定間隔に固定される各マグネット２２Ｂとを具備している。
【０００６】
圧縮ユニット３０は、往復動式モータ２０のマグネット支持部材２２Ａに結合されて共に往復運動するピストン３１と、ピストン３１が滑動自在に挿合されるように後述する前方フレーム４１に固定され該ピストン３１と共に圧縮空間３２ａを形成するシリンダー３２と、ピストン３１の先端に装着されて、後述するピストン３１のガス通口３１ｂを開閉しながらガスの吸入を制限する吸入バルブ３３と、シリンダー３２の先端面に装着されて、圧縮空間３２ａを覆蓋すると共に、圧縮されたガスの吐出を制限する吐出バルブ組立体３４とを具備している。
【０００７】
ピストン３１には、内部に吸入管（ＳＰ）に連通するガス流路３１ａが所定深さまで長く貫通形成され、ガス流路３１ａに連結されてピストン３１の先端面に貫通されるガス通口３１ｂが形成されている。
【０００８】
フレームユニット４０は、インナーステータ２１Ａおよびアウターステータ２１Ｂの前方側面に共に接触されて一括支持すると共に、シリンダー３２が挿合結合される前方フレーム４１と、アウターステータ２１Ｂの後方側面に接触されて、そのアウターステータ２１Ｂを支持する中間フレーム４２と、該中間フレーム４２に結合されて、後述する外側スプリング５２の後方端を支持する後方フレーム４３とを具備している。
【０００９】
スプリングユニット５０は、マグネット支持部材２２Ａとピストン３１との結合部の前方面とこれに対応される前方フレーム４１の内側面に両方端が夫々支持されるように、シリンダー３２の外周側にピストン３１の軸方向に挿合される内側スプリング５１と、マグネット支持部材２２Ａとピストン３１との結合部の後方面とこれに対応される後方フレーム４３の前方面に両方端が夫々支持される外側スプリング５２とを具備している。
【００１０】
以下、このような従来の往復動式圧縮機の動作を説明する。
往復動式モータ２０のアウターステータ２１Ｂに装着された巻線コイル２１Ｃに電源が印加され、インナーステータ２１Ａとアウターステータ２１Ｂ間にフラックス（ｆｌｕｘ）が形成されると、インナーステータ２１Ａとアウターステータ２１Ｂ間の空隙に置かれたアーマチュア２２がフラックスの方向によって動きながらスプリングユニット５０により持続的に往復運動すると共に、アーマチュア２２に結合されたピストン３１がシリンダー３２の内部で往復運動しながら圧縮空間３２ａの滞積が変化して冷媒ガスが圧縮空間３２ａに吸入圧縮されて吐出される。
【００１１】
冷媒ガスは、ピストンの吸入行程時に吸入管（ＳＰ）を通して密閉容器１０の内部に吸入された後、ピストン３１のガス流路３１ａおよびガス通口３１ｂを経て吸入バルブ３３を開放しながらシリンダー３２の圧縮空間３２ａに吸入されて、ピストンの圧縮行程時に所定圧力まで圧縮された後、吐出バルブ組立体３４を開放しながら吐出管３４を通して吐出される一連の過程を反復するようになっている。
【００１２】
然し、上記のような従来の往復動式圧縮機には以下のような問題がある。図２Ａに示すように、インナーステータ２１Ａとアウターステータ２１Ｂとを共に支持する前方フレーム４１は閉鎖された形態から成って、アーマチュア２２の往復運動時にインナーステータ２１Ａ、アウターステータ２１Ｂおよび前方フレームから成る空間Ａのガスが圧縮されることで、この圧縮されたガスは、往復運動するアーマチュア２２の挙動に対する流路抵抗に作用し、この流路抵抗によりアーマチュア２２が所望の位置まで前進し得なくなって、結局、ピストン３１の行程距離が短縮されながら圧縮機の効率が低下される。
【００１３】
また、図２Ｂに示すように、インナーステータ２１Ａとアウターステータ２１Ｂとを共に支持する前方フレーム４１がアーマチュア２２と過度に近接配置される場合には、アーマチュア２２のオーバストローク（ｏｖｅｒ ｓｔｒｏｋｅ）発生時にアーマチュア２２が前方フレーム４１の後面にぶつかり、マグネット２２Ｂが破損されるか、或いは、二つのステータ２１Ａ、２１Ｂ間の磁束（ｆｌｕｘ）漏洩が増加されるという憂いがある反面、インナーステータ２１Ａとアウターステータ２１Ｂとを共に支持する前方フレーム４１がアーマチュア２２と遠く配置される場合には、それほどピストン３１および後方フレーム４３の長さと密閉容器１０の大きさなどを増加させなければならないため、高価のマグネットの材料費用の上昇および圧縮機の外観の大きさが肥大化されるという問題がある。
【００１４】
＜発明の開示＞
本発明は、このような従来の課題に鑑みてなされたもので、アーマチュアの往復運動時に圧縮ユニット以外の部分から発生する冷媒ガスの圧縮による流路抵抗を低減し得る往復動式圧縮機を提供することを目的とする。
【００１５】
また、アーマチュアのオーバストローク時にアーマチュアがフレームにぶつかることを未然に防止すると共に、インナーステータとアウターステータ間の磁束漏洩を低減させながらも圧縮機の小型化を達成し得る往復動式圧縮機を提供することを目的とする。
【００１６】
このような目的を達成するため、本発明に係る往復動式圧縮機は、吸入管および吐出管が連通される密閉容器と、該密閉容器の内部に所定空隙を置いて固定されるインナーステータおよびアウターステータから成るステータと、それら二つのステータ間の空隙に配置されて、往復運動するアーマチュアと、から成る往復動式モータと、前記往復動式モータのアーマチュアに結合されて共に往復運動するピストンおよび該ピストンが滑動自在に挿合されて圧縮空間を形成するように、前記密閉容器の内部に固定されるシリンダーから成る圧縮ユニットと、前記往復動式モータのアーマチュアを運動方向に弾性支持して共振を誘導するスプリングユニットと、前記往復動式モータおよび圧縮ユニットを支持して、その適当な部分にガス通孔を具備して成るフレームユニットとを具備することを特徴とする。
【００１７】
また、本発明に係る往復動式圧縮機は、吸入管および吐出管が連通される密閉容器と、該密閉容器の内部に所定空隙を置いて固定されるインナーステータおよびアウターステータから成るステータと、それら二つのステータ間の空隙に配置されて、往復運動するアーマチュアと、から成る往復動式モータと、該往復動式モータのアーマチュアに結合されて共に往復運動するピストンおよび該ピストンが滑動自在に挿合されて圧縮空間を形成するように、前記密閉容器の内部に固定されるシリンダーから成る圧縮ユニットと、前記往復動式モータのアーマチュアを運動方向に弾性支持して共振を誘導するスプリングユニットと、前記往復動式モータの各ステータと同時に接触される接触部を具備してその往復動式モータおよび圧縮ユニットを支持し、前記接触部以外の非接触部に段差部が陰刻になるように形成されるフレームユニットとを具備することを特徴とする。
【００１８】
＜発明を実施する形態＞
以下、図面に図示された一実施形態に基づいて、本発明に係る往復動式圧縮機を詳細に説明する。
図３は、本発明に係る往復動式圧縮機の一例を示した縦断面図で、図４は本発明に係る往復動式圧縮機の重要部を示した概略図で、図５Ａおよび図５Ｂは本発明に係る往復動式圧縮機のアーマチュアの動作状態を示した概略図である。
【００１９】
これに示すように、本発明に係る往復動式圧縮機は、底面に潤滑油が充填されて吸入管（ＳＰ）および吐出管（ＤＰ）が連通される密閉容器１０と、該密閉容器１０の内部に固定される往復動式モータ２０と、密閉容器１０の内部に設置されて、ガスを吸入圧縮して吐出させる圧縮ユニット３０と、往復動式モータ２０および圧縮ユニット３０を支持するフレームユニット１００と、往復動式モータ２０のアーマチュアを運動方向に弾性支持して共振を誘導するスプリングユニット５０と、フレームユニット１００に装着されて、密閉容器１０の潤滑油を往復動式モータ２０および圧縮ユニット３０に供給する潤滑油供給ユニット６０とを具備している。
【００２０】
往復動式モータ２０は、インナーステータ（ｉｎｎｅｒ ｓｔａｔｏｒ）２１Ａおよびアウターステータ（ｏｕｔｅｒ ｓｔａｔｏｒ）２１Ｂから成るステータ２１と、インナーステータ２１Ａとアウターステータ２１Ｂ間の空隙に介在されて、後述するピストン３１と共に往復運動するアーマチュア２２とを具備している。
【００２１】
アーマチュア２２は、インナーステータ２１Ａとアウターステータ２１Ｂ間の空隙に介在されて、圧縮ユニット３０のピストン３１に結合されるマグネット支持部材２２Ａと、インナーステータ２１Ａとアウターステータ２１Ｂ間の空隙に位置するように、マグネット支持部材２２Ａの外周面に所定間隔に固定される各マグネット２２Ｂとを具備している。
【００２２】
圧縮ユニット３０は、往復動式モータ２０のマグネット支持部材２２Ａに結合されて共に往復運動するピストン３１と、該ピストン３１が滑動自在に挿合されるように、後述する前方フレーム１１０に固定されてピストン３１と共に圧縮空間３２ａを形成するシリンダー３２と、ピストン３１の先端に装着されて、後述するピストン３１のガス通口３１ｂを開閉しながらガスの吸入を制限する吸入バルブ３３と、シリンダー３２の先端面に装着されて、圧縮空間３２ａを覆蓋すると共に、圧縮されたガスの吐出を制限する吐出バルブ組立体３４とを具備している。
【００２３】
ピストン３１は、内部に吸入管（ＳＰ）と連通されるガス流路３１ａが所定深さまで長く貫通形成され、ガス流路３１ａに連結されてピストン３１の先端面に貫通されるガス通口３１ｂが形成される。
【００２４】
フレームユニット１００は、インナーステータ２１Ａおよびアウターステータ２１Ｂの前方側面に共に接触されて一括支持すると共に、シリンダー３２が挿合結合される前方フレーム１１０と、アウターステータ２１Ｂの後方側面に接触されて、該アウターステータ２１Ｂを支持する中間フレーム１２０と、該中間フレーム１２０に結合されて、後述する外側スプリング５２の後方端を支持する後方フレーム１３０とを具備している。
【００２５】
前方フレーム１１０は、図４に示すように、中央にシリンダー３２が装着される貫通穴（図示されず）を具備した円板状に形成され、インナーステータ２１Ａとアウターステータ２１Ｂとが共に接触される接触部ａが形成されて、インナーステータ２１Ａおよびアウターステータ２１Ｂが接触されない非接触部ｂには、各ガス通孔１１１が同様な円周上に形成されている。
【００２６】
それらガス通孔１１１は、インナーステータ２１Ａとアウターステータ２１Ｂ間の空隙にアーマチュア２２の運動方向に対向される部位に形成され、ガス通孔１１１の直径（Ｄ１）は、前記空隙の間隔（Ｄ２）より同様であるか、または大きく形成されることが好ましい。
【００２７】
また、前方フレーム１１０の内側面には、アーマチュア２２のオーバストローク発生時に該アーマチュア２２の端部が前方フレーム１１０の内側面に衝突することを防止するように、正面投影時に環状の段差部１１２が陰刻になるように形成される。
【００２８】
段差部１１２は、アーマチュア２２の前方端部に対応される前方フレーム１１０の内側面中、前記ガス通孔１１１が形成された部位であるインナーステータ２１Ａおよびアウターステータ２１Ｂに接触されない非接触部ｂに所定の深さに形成される。
【００２９】
段差部１１２の深さは、前記アーマチュア２２のオーバストローク発生時、前記アーマチュア２２と前方フレーム１１０との衝突を防止するために、前記段差部１１２の底面からこれに対応されるアーマチュア２２の前方側端部までの距離（Ｌ１）が、前記アーマチュア２２とピストン３１とが結合されるフランジ部３１ｃの内側面とこれに最も隣接されるように対応されるインナーステータ２１Ａの後方側面端部までの距離（Ｌ２）より長く形成される。また、前記前方フレーム１１０へのフラックス（ｆｌｕｘ）漏洩を防止するために段差部１１２の底面からこれに対応される各ステータ２１Ａ、２１Ｂの前方側端部までの距離（Ｌ１）が前記二つのステータ２１Ａ、２１Ｂ間の空隙の間隔（Ｄ２）より同様であるか、または長く形成されることが好ましい。
【００３０】
スプリングユニット５０は、マグネット支持部材２２Ａとピストン３１との結合部前方面とこれに対応される前方フレーム１１０の内側面に両方端が夫々支持されるようにシリンダー３２の外周側にピストン３１の軸方向に挿合される内側スプリング５１と、マグネット支持部材２２Ａとピストン３１との結合部後方面とこれに対応される後方フレーム４３の前方面に両方端が夫々支持される外側スプリング５２とを具備している。
【００３１】
そして、図６に示すように、ピストン３１の後方側端部には、アーマチュア２２のマグネット支持部材２２Ａと結合されるようにフランジ部３１ｃが形成され、該フランジ部３１ｃには、両方側のガスが円滑に流通されるようにガス通孔３１ｄが同一円周上に等間隔に形成されることもできる。
【００３２】
また、前記マグネット支持部材２２Ａにも、アーマチュアの往復運動時、その後方側から発生される流動抵抗を低減し得るようにガス通孔２２ａを複数形成することもできる。
図面中、従来と同様な部分に対しは同様な符号を附与した。
【００３３】
以下、上記の本発明に係る往復動式圧縮機の動作を説明する。
即ち、往復動式モータ２０の巻線コイル２１Ｃに電源が印加されると、アーマチュア２２がピストン３１と共に直線方向に往復運動し、ピストン３１がシリンダー３２の内部で往復運動しながら圧縮空間３２ａの圧力が可変されて冷媒ガスが圧縮空間３２ａに吸入されてから所定圧力まで圧縮された後、吐出される一連の過程を反復する。
【００３４】
このとき、アーマチュア２２の前方側端部は、インナーステータ２１Ａ、アウターステータ２１Ｂおよび前方フレーム１１０により所定の空間Ａを形成することで、アーマチュア２２の往復運動時に前記空間Ａの圧力が上昇しながらアーマチュア２２の往復運動に対して流路抵抗を誘発するが、図５Ａに示すように、前方フレーム１１０に各ガス通孔１１１が形成されて、アーマチュア２２の前進運動時に前記空間Ａに充填されたガスがガス通孔１１１を通して圧縮ユニット３０の外部に排気されながらアーマチュア２２の往復運動に対する流路抵抗が低減されるため、モータの入力対比出力が増加されることで、結局圧縮機の効率が向上される。
【００３５】
また、図６に示すように、アーマチュア２２の後方側のマグネット支持部材２２Ａまたはピストン３１のフランジ部３１ｃに夫々ガス通孔２２ａ、３１ｄが形成されるため、前記アーマチュア２２の往復運動時、その内側および外側に充填されていたガスが相互自由に流通されることで、アーマチュア２２の後方側から発生されるガスによる流路抵抗も低減されて圧縮機の効率が向上される。
【００３６】
また、アーマチュア２２の往復運動時制御エラーによってそのアーマチュア２２およびピストン３１が過度に前進する所謂オーバストローク（ｏｖｅｒ ｓｔｒｏｋｅ）が発生する場合には、アーマチュア２２の前方側端部が前方フレーム１１０の内側面に衝突するという憂いがあるが、図５Ｂに示すように、前方フレーム１１０に段差部１１２が形成されるが、その段差部１１２の深さを適切に調節してオーバストローク時、アーマチュア２２の前方側端部が前方フレーム１１０の内側面にぶつかる前にアーマチュア２２とピストン３１との結合部であるピストンのフランジ部３１ｃがインナーステータ２１Ａの後方側面に先にぶつかり、アーマチュア２１の前進運動を制限することで、マグネット２２Ｂがマグネット支持部材２２Ａから脱去されるか、または破損されることを未然に防止することができる。
【００３７】
また、前方フレーム１１０の段差部１１２によって圧縮機の左右長さを増大させることなく、インナーステータ２１Ａおよびアウターステータ２１Ｂの各プール（ｐｏｏｌ）部から前方フレーム１１０が遠く位置するため、フラックスが前方フレーム１１０を通して漏洩されることが低減されることで、往復動式モータの効率が向上される。
【００３８】
以下、図７および図８を参照して、本発明に係る往復動式モータの他の実施形態を説明する。
前述の実施形態では、往復動式モータ２０が圧縮ユニット３０の外周に配置されているが、本変形例では、往復動式モータ２２０および圧縮ユニット２３０が前後方向に所定間隔を置いて配置されて、フレームユニット２４０により機構的に連結支持され、フレームユニット２４０は、前述した一例と同様に、前方フレーム２４１、第１、第２中間フレーム２４２Ａ、２４２Ｂおよび後方フレーム２４３から成る。
【００３９】
前方フレーム２４１は、圧縮ユニット２３０のピストン２３１が滑動自在に挿合されたシリンダー２３２が固定され、第２中間フレーム２４２Ｂと後方フレーム２４３間に往復動式モータ２２０のアウターステータ２２１Ｂが固定されるが、その中後方フレーム２４３には、インナーステータ２２１Ａとアウターステータ２２１Ｂとが共に接触されて支持する接触部ａが形成される。
【００４０】
後方フレーム２４３中、インナーステータ２２１Ａとアウターステータ２２１Ｂ間の空隙に、アーマチュア２２２の運動方向に対応される非接触部ｂには、その空隙の長さ（Ｄ２）より内径（Ｄ１）が大きい各ガス通孔２４３ａが同一円周上に形成される。
【００４１】
また、非接触部ｂには、各ガス通孔２４３ａを含む段差部２４３ｂが環状に陰刻になるように形成される。段差部２４３ｂの深さは、前述した一例と同様に、段差部２４３ａの底面からアーマチュア２２２の後方側端部までの距離（Ｌ１）がアーマチュア２２２とピストン２３１との結合部であるフランジ部２３１ｃからインナーステータ２２１Ａの前方側端部までの距離（Ｌ２）より長く形成されることが好ましい。
【００４２】
一方、本変形例においても、アーマチュア２２２とピストン２３１との結合のためのピストン２３１のフランジ部２３１ｃおよびマグネット支持部材２２２Ａに夫々ガス通孔（図示されず）を複数形成することができる。
【００４３】
このようにして、前記インナーステータ、アウターステータおよび後方フレームにより形成される空間と外部とがガス通孔により連通されることで、アーマチュアの往復運動時に前記空間の圧力が上昇しながら発生される流路抵抗を低減することができる。
【００４４】
また、前記後方フレームの段差部によりアーマチュアおよびピストンのオーバストローク時、アーマチュアの端部が後方フレームの内側面にぶつかる前に、アーマチュアとピストンとの結合部がインナーステータの前方側端部に先にぶつかり、アーマチュアの衝突を防止することで、マグネットの脱去または破損を防止して圧縮機の信頼性を向上させることができるし、且つ、各ステータと後方フレーム間の間隔が所定程度離れてその後方フレームを通したフラックスの漏洩を防止することで、往復動式モータの性能が改善されて圧縮機の効率を向上させることができる。
【００４５】
＜産業上の利用可能性＞
以上説明したように、本発明に係る往復動式圧縮機においては、往復動式モータおよび圧縮ユニットを支持するフレームユニットにインナーステータとアウターステータとを共に支持するフレームを少なくとも一つ以上包含し、該フレームに前記二つのステータ間の空隙と対向されるようにガス通孔および段差部を形成して構成することで、往復動式モータのアーマチュアが往復運動するときにそのアーマチュアの端部でガスが圧縮されながら流路抵抗が増加されることを防止して圧縮機の効率を向上させることができるし、アーマチュアがオーバストロークされるときに段差部が余裕空間を形成してマグネットの脱去および破損を防止するため、圧縮機の信頼性を向上させると共に、フレームと各ステータ間の間隔を広げてフラックスの漏洩を所定程度遮断することで、圧縮機の効率を向上させることができる。
【図面の簡単な説明】
【図１】
従来の往復動式圧縮機の一例を示した縦断面図である。
【図２Ａ】
従来の往復動式圧縮機のアーマチュアの動作状態を示した概略図である。
【図２Ｂ】
従来の往復動式圧縮機のアーマチュアの動作状態を示した概略図である。
【図３】
本発明に係る往復動式圧縮機の一例を示した縦断面図である。
【図４】
本発明に係る往復動式圧縮機の重要部を示した概略図である。
【図５Ａ】
本発明に係る往復動式圧縮機のアーマチュアの動作状態を示した概略図である。
【図５Ｂ】
本発明に係る往復動式圧縮機のアーマチュアの動作状態を示した概略図である。
【図６】
本発明に係る往復動式圧縮機の変形例に対する重要部を示した概略図である。
【図７】
本発明に係る往復動式圧縮機の他の変形例を示した縦断面図である。
【図８】
本発明に係る往復動式圧縮機の他の変形例の重要部を示した概略図である。
【国際公開パンフレット】
2004519580.tif 000003
2004519580.tif 000004
2004519580.tif 000005
2004519580.tif 000006
2004519580.tif 000007
2004519580.tif 000008
2004519580.tif 000009
2004519580.tif 000010
2004519580.tif 000011
2004519580.tif 000012
2004519580.tif 000013
2004519580.tif 000014
2004519580.tif 000015
2004519580.tif 000016
2004519580.tif 000017
2004519580.tif 000018
2004519580.tif 000019
2004519580.tif 000020
2004519580.tif 000021
2004519580.tif 000022
2004519580.tif 000023
2004519580.tif 000024
2004519580.tif 000025
2004519580.tif 000026
2004519580.tif 000027
2004519580.tif 000028
2004519580.tif 000029
2004519580.tif 000030
2004519580.tif 000031
2004519580.tif 000032
2004519580.tif 000033
【国際調査報告】
2004519580.tif 000034
2004519580.tif 000035